(57)【要約】【課題】未成年者のなりすましによる公営競技への参加を防止する。【解決手段】投票システム１では、自動取引装置２の生体認証取得手段２ｃでユーザの生体認証情報が取得され、公営競技ホストコンピュータ４の判別手段４ｃがユーザ情報記憶手段４ａを参照して、自動取引装置２から送信された生体認証情報に対応する年齢の判別を行うようにした。これにより、ユーザは金融機関の自動取引装置２を用いて公営競技に参加できるため、自動取引装置２の利便性が向上し、公営競技への利用拡大が図れると共に、未成年者のなりすましによる公営競技への参加を防止することができる。【選択図】図１
2012073868.tif 000002
【特許請求の範囲】
【請求項１】
自動取引装置が接続され当該自動取引装置へのユーザの操作入力に応じて金融取引を実行する金融ホストコンピュータと、公営競技に関する情報を管理する公営競技ホストコンピュータとが通信可能に接続された投票システムにおいて、
前記自動取引装置は、前記ユーザの生体認証情報を取得する生体認証取得手段と、前記公営競技ホストコンピュータの要求に応じ、公営競技に関する操作入力を受け付ける操作受付手段とを有し、
前記公営競技ホストコンピュータは、年齢が対応付けられた生体認証情報を保持するユーザ情報記憶手段と、前記ユーザ情報記憶手段に基づき前記金融ホストコンピュータを介して受信した前記生体認証取得手段による前記生体認証情報から前記ユーザの年齢を判別する判別手段と、前記判別手段の判別結果に応じて、前記自動取引装置に操作受付要求を通知する操作受付通知手段と、
を有することを特徴とする投票システム。
【請求項２】
前記公営競技に関する操作入力が前記公営競技に対する投票に対応していることを特徴とする請求項１記載の投票システム。
【請求項３】
前記公営競技ホストコンピュータで、前記操作受付通知手段が前記判別結果に応じて前記投票を受け付けるための投票受付画面情報を前記自動取引装置に通知して、
前記自動取引装置で、前記操作受付手段は前記投票受付画面を表示して前記投票を受け付ける、
ことを特徴とする請求項１記載の投票システム。
【請求項４】
前記公営競技に関する操作入力が前記公営競技の前記投票に応じた払い戻しに対応していることを特徴とする請求項１記載の投票システム。
【請求項５】
前記公営競技ホストコンピュータで、前記操作受付通知手段が前記判別結果に応じて前記払い戻しを受け付けるための払戻受付画面情報を前記自動取引装置に通知して、
前記自動取引装置で、前記操作受付手段は前記払戻受付画面を表示して前記払い戻しを受け付ける、
ことを特徴とする請求項４記載の投票システム。
【請求項６】
前記生体認証情報は前記ユーザの静脈情報であることを特徴とする請求項１記載の投票システム。
【請求項７】
金融ホストコンピュータと公営競技に関する情報を管理する公営競技ホストコンピュータとが通信可能に接続されて、前記金融ホストコンピュータに接続されユーザの操作入力に応じて前記金融ホストコンピュータに金融取引を実行させる自動取引装置において、
前記ユーザの生体認証情報を取得する生体認証取得手段と、
前記公営競技ホストコンピュータにより、年齢が対応付けられた生体認証情報に基づき前記金融ホストコンピュータを介して受信した前記生体認証取得手段による前記生体認証情報から判別された前記ユーザの年齢に応じて通知された操作受付要求に応じて、公営競技に関する操作入力を受け付ける操作受付手段と、
を有することを特徴とする自動取引装置。
【発明の詳細な説明】
【技術分野】
【０００１】
本発明は、投票システム及び自動取引装置に関する。
【背景技術】
【０００２】
競馬、競輪、競艇、オートレースといった公営競技では、ユーザの公営競技に対する投票、公営競技の競技結果、投票賭け率等の情報を管理する公営競技ホストコンピュータが利用されており、当該公営競技ホストコンピュータに公営競技専用の端末（公営競技端末）が接続されている。公営競技端末はユーザからの操作入力に応じて、公営競技ホストコンピュータと通信を実行して、投票の受け付け、発券、支払いの受け付け、払い戻しをユーザに対して実行することができる。このような公営競技端末は公営競技が行われる会場並びに場外の所定の場所等の限られた場所に設置されている。
【０００３】
近年では、ユーザはインタネット回線を利用して各自が保持するパソコンから、公営競技ホストコンピュータにアクセスして投票等を実行することができる。この場合、投票時の支払い、競技結果に応じた払い戻しは、公営競技ホストコンピュータと金融機関の金融ホストコンピュータとの間で、ユーザの銀行口座に対して決済が実行される（特許文献１参照）。
【先行技術文献】
【特許文献】
【０００４】
【特許文献１】特許第３２０９４８４号公報
【発明の概要】
【発明が解決しようとする課題】
【０００５】
上記特許文献１に開示されているように、金融機関である例えば銀行の現金自動預け払い機（Automated Teller Machine:ATM）を利用して、公営競技に投票等を行えるようにすることにより、ＡＴＭの利便性が向上し、公営競技の利用拡大に繋がる。
【０００６】
また、上記特許文献１では、ユーザはＡＴＭに対してキャッシュカードを挿入し暗証番号を入力して公営競技に参加することができる。しかし、公営競技に参加できるのは２０歳以上の成人のみという年齢制限があるため、未成年者が成人のキャッシュカード及び暗証番号を取得できてしまえば、当該成人になりすまして公営競技に参加できてしまうという問題点があった。
【０００７】
本発明はこのような点に鑑みてなされたものであり、未成年者が参加できない投票システム及び自動取引装置を提供することを目的とする。
【課題を解決するための手段】
【０００８】
上記目的を達成するために、自動取引装置が接続され当該自動取引装置へのユーザの操作入力に応じて金融取引を実行する金融ホストコンピュータと、公営競技に関する情報を管理する公営競技ホストコンピュータとが通信可能に接続された投票システムにおいて、前記自動取引装置は、前記ユーザの生体認証情報を取得する生体認証取得手段と、前記公営競技ホストコンピュータの要求に応じ、公営競技に関する操作入力を受け付ける操作受付手段とを有し、前記公営競技ホストコンピュータは、年齢が対応付けられた生体認証情報を保持するユーザ情報記憶手段と、前記ユーザ情報記憶手段に基づき前記金融ホストコンピュータを介して受信した前記生体認証取得手段による前記生体認証情報から前記ユーザの年齢を判別する判別手段と、前記判別手段の判別結果に応じて、前記自動取引装置に操作受付要求を通知する操作受付通知手段と、を有する投票システムが提供される。
【０００９】
また、上記目的を達成するために、上記の投票システムで利用される自動取引装置が提供される。
【発明の効果】
【００１０】
上記の投票システム及び自動取引装置によれば、未成年者のなりすましによる公営競技への参加を防止することができる。
【図面の簡単な説明】
【００１１】
【図１】第１の実施の形態に係る投票システムを説明するための概念図である。
【図２】第２の実施の形態に係る投票システムの構成を説明するための図である。
【図３】第２の実施の形態に係る投票システムを構成するＡＴＭの構成を説明するためのブロック図である。
【図４】第２の実施の形態に係る投票システムを構成する金融ホストコンピュータの構成を説明するためのブロック図である。
【図５】第２の実施の形態に係る投票システムを構成するＡＴＭの機能を示すブロック図である。
【図６】第２の実施の形態に係る投票システムを構成する金融ホストコンピュータの機能を示すブロック図である。
【図７】第２の実施の形態に係る投票システムを構成する公営競技ホストコンピュータの機能を示すブロック図である。
【図８】第２の実施の形態に係る投票システムのユーザ登録を実行する場合のシークエンス図である。
【図９】第２の実施の形態に係る投票システムのＡＴＭのユーザ登録の処理手順を示すフローチャート（その１）である。
【図１０】第２の実施の形態に係る投票システムのＡＴＭのユーザ登録の処理手順を示すフローチャート（その２）である。
【図１１】第２の実施の形態に係る投票システムの金融ホストコンピュータのユーザ登録の処理手順を示すフローチャートである。
【図１２】第２の実施の形態に係る投票システムの公営競技ホストコンピュータのユーザ登録の処理手順を示すフローチャート（その１）である。
【図１３】第２の実施の形態に係る投票システムの公営競技ホストコンピュータのユーザ登録の処理手順を示すフローチャート（その２）である。
【図１４】第２の実施の形態に係る投票システムを構成する公営競技ホストコンピュータが保持する登録情報テーブル及び投票情報テーブルの一例を示す図である。
【図１５】第２の実施の形態に係る投票システムの投票を実行する場合のシークエンス図である。
【図１６】第２の実施の形態に係る投票システムのＡＴＭの投票の処理手順を示すフローチャート（その１）である。
【図１７】第２の実施の形態に係る投票システムのＡＴＭの投票の処理手順を示すフローチャート（その２）である。
【図１８】第２の実施の形態に係る投票システムの金融ホストコンピュータの投票の処理手順を示すフローチャートである。
【図１９】第２の実施の形態に係る投票システムの公営競技ホストコンピュータの投票の処理手順を示すフローチャート（その１）である。
【図２０】第２の実施の形態に係る投票システムの公営競技ホストコンピュータの投票の処理手順を示すフローチャート（その２）である。
【図２１】第２の実施の形態に係る投票システムのユーザへの払い戻しを実行する場合のシークエンス図である。
【図２２】第２の実施の形態に係る投票システムのＡＴＭのユーザへの払い戻しの処理手順を示すフローチャート（その１）である。
【図２３】第２の実施の形態に係る投票システムのＡＴＭのユーザへの払い戻しの処理手順を示すフローチャート（その２）である。
【図２４】第２の実施の形態に係る投票システムの金融ホストコンピュータのユーザへの払い戻しの処理手順を示すフローチャートである。
【図２５】第２の実施の形態に係る投票システムの公営競技ホストコンピュータのユーザへの払い戻しの処理手順を示すフローチャート（その１）である。
【図２６】第２の実施の形態に係る投票システムの公営競技ホストコンピュータのユーザへの払い戻しの処理手順を示すフローチャート（その２）である。
【発明を実施するための形態】
【００１２】
以下、実施の形態について図面を参照して説明する。
［第１の実施の形態］
図１は、第１の実施の形態に係る投票システムを説明するための概念図である。
【００１３】
投票システム１では、ユーザから生体認証情報を受け付けて、当該生体認証情報に対応する年齢を判別することで、未成年者のなりすましを防止し、成人のユーザのみの公営競技への参加を可能にするものである。
【００１４】
このような投票システム１は、金融ホストコンピュータ３と、公営競技ホストコンピュータ４とがネットワーク５ａで相互に通信可能に接続されている。
まず、金融ホストコンピュータ３は、銀行、証券会社、郵便局、信用金庫、クレジット会社等の金融機関のホストコンピュータであって、ユーザの口座を管理する。また、金融ホストコンピュータ３にはネットワーク５ｂを介して自動取引装置２が相互の通信可能に接続されている。金融ホストコンピュータ３は、ユーザの自動取引装置２に対する操作入力に応じて、入出金処理、金融取引等を実行することができる。
【００１５】
自動取引装置２は、例えば、ＡＴＭ等のユーザによる金融取引等を受け付けるための専用端末である。そして、自動取引装置２は、通信手段２ａ、操作受付手段２ｂ及び生体認証取得手段２ｃを有する。
【００１６】
通信手段２ａは、ネットワーク５ｂを介して金融ホストコンピュータ３と通信を実行することができる。通信手段２ａは金融ホストコンピュータ３から情報を受信（取得）し、また、金融ホストコンピュータ３に情報を送信するものである。
【００１７】
操作受付手段２ｂは、公営競技ホストコンピュータ４から金融ホストコンピュータ３を経由して操作受付要求の通知を通信手段２ａが受信すると、ユーザからの公営競技に関する操作入力の受け付けを開始する。公営競技に関する操作入力としては、例えば、公営競技に対する投票、または、投票結果に応じた払い戻し等である。
【００１８】
生体認証取得手段２ｃは、ユーザの生体認証情報を取得して、取得した生体認証情報を通信手段２ａから金融ホストコンピュータ３に通知させる。このようにして通知された生体認証情報はさらに金融ホストコンピュータ３から公営競技ホストコンピュータ４に通知される。なお、生体認証情報としては、人間の身体的特徴並びに行動的特徴でありそれぞれ固有の情報であって、例えばユーザの静脈、指紋、瞳孔、または声紋等である。
【００１９】
次いで、公営競技ホストコンピュータ４は、ユーザが投票等の公営競技に関する操作入力を実行する専用の公営競技端末（図示を省略）が接続されており、公営競技に対する投票、投票結果等に関する情報を管理する。また、公営競技ホストコンピュータ４は、ユーザ情報記憶手段４ａ、通信手段４ｂ、判別手段４ｃ及び操作受付通知手段４ｄを有する。
【００２０】
ユーザ情報記憶手段４ａは、ユーザの年齢が対応付けられた生体認証情報が記憶されている。
通信手段４ｂは、ネットワーク５ａを介して金融ホストコンピュータ３と通信を実行することができる。通信手段４ｂは金融ホストコンピュータ３から情報を受信（取得）し、また、金融ホストコンピュータ３に情報を送信する。
【００２１】
判別手段４ｃは、自動取引装置２から金融ホストコンピュータ３を経由して受け付けた生体認証取得手段２ｃによる生体認証情報に対応する年齢を、ユーザ情報記憶手段４ａに基づいて判別する。
【００２２】
操作受付通知手段４ｄは、判別手段４ｃの判別結果に応じて、自動取引装置２に操作受付要求の通知を送信する。例えば、判別手段４ｃによりユーザが成人であることが判別された場合には、操作受付通知手段４ｄは、自動取引装置２に対して投票、払い戻し等を受け付けるための受付画面情報を通知する。このため、自動取引装置２では、公営競技に関する操作入力を受け付ける受付画面を表示することで、ユーザからの投票、払い戻し等を受け付けることができる。
【００２３】
次に、このような構成を有する投票システムにおいて、ユーザの公営競技に関する操作入力を実行する場合について説明する。
まず、ユーザは、自動取引装置２の生体認証取得手段２ｃに自身の生体認証情報を取得させる。生体認証取得手段２ｃは取得したユーザの生体認証情報を通信手段２ａから金融ホストコンピュータ３に送信させる。金融ホストコンピュータ３は自動取引装置２から受信したユーザの生体認証情報を公営競技ホストコンピュータ４に送信する。
【００２４】
公営競技ホストコンピュータ４では、通信手段４ｂが金融ホストコンピュータ３から送信されたユーザの生体認証情報を受信して、判別手段４ｃがユーザ情報記憶手段４ａを参照して、通信手段４ｂが受信した生体認証情報に対応する年齢が所定の年齢以上であるか否かを判別する。
【００２５】
判別手段４ｃが自動取引装置２からの生体認証情報に対応する年齢が所定の年齢以上であると判別すると、操作受付通知手段４ｄは、操作受付要求の通知を通信手段４ｂから、金融ホストコンピュータ３を経由して自動取引装置２に送信する。
【００２６】
操作受付手段２ｂは公営競技ホストコンピュータ４から操作受付要求の通知を受信すると、ユーザからの公営競技に関する操作入力の受け付けを開始することができる。
このようにすることで、所定年齢以上のユーザは自動取引装置２に対して公営競技に関する操作入力を実行でき、所定年齢未満のユーザは自動取引装置２に対して公営競技に関する操作入力を実行できない。
【００２７】
したがって、このような投票システム１では、自動取引装置２の生体認証取得手段２ｃでユーザの生体認証情報が取得され、公営競技ホストコンピュータ４の判別手段４ｃがユーザ情報記憶手段４ａを参照して、自動取引装置２から送信された生体認証情報に対応する年齢の判別を行うようにした。
【００２８】
このように、ユーザは金融機関の自動取引装置２を用いて公営競技に参加できるために、自動取引装置２の利便性が向上し、公営競技の利用拡大が広がると共に、未成年者のなりすましによる公営競技への参加を防止することができる。
【００２９】
［第２の実施の形態］
第２の実施の形態では、上記第１の実施の形態をより具体的に説明する。
図２は、第２の実施の形態に係る投票システムの構成を説明するための図である。
【００３０】
投票システム１０は、図２に示されるように、金融ホストコンピュータ３０と、公営競技ホストコンピュータ４０とがネットワーク５０ａで通信可能に接続されている。
金融ホストコンピュータ３０は、例えば、銀行で利用されるものであり、ネットワーク５０ｂを介して複数のＡＴＭ２０が接続されている。なお、図２では、１つのＡＴＭ２０が接続されている例を示している。このような金融ホストコンピュータ３０は、ユーザの住所、年齢等の個人情報、（銀行番号、支店番号も含む）口座番号、ユーザの取引履歴を管理、維持すると共に、ユーザのＡＴＭ２０に対する操作入力に応じてユーザの口座間の金融取引を実行する。
【００３１】
公営競技ホストコンピュータ４０は、同様に、ネットワーク５０ｃを介して複数の公営競技端末６０が接続されている。なお、図２では、１つの公営競技端末６０が接続されている例を示している。このような公営競技ホストコンピュータ４０は、公営競技の競技内容、競技結果等を管理すると共に、ユーザの公営競技端末６０に対する操作入力に応じた公営競技への投票を受け付けて、投票掛け率の算出等を実行する。
【００３２】
また、このような投票システム１０では、ユーザがＡＴＭ２０から投票することができ、金融ホストコンピュータ３０から公営競技ホストコンピュータ４０に対して投票金額が支払われる。また、公営競技の競技結果に応じて、公営競技ホストコンピュータ４０から金融ホストコンピュータ３０を通じてユーザの口座に払戻金が払い戻される。このような金融ホストコンピュータ３０と公営競技ホストコンピュータ４０との情報の相互の通信の詳細については後述する。
【００３３】
次に投票システム１０を構成するＡＴＭ２０、金融ホストコンピュータ３０、公営競技ホストコンピュータ４０のハードウェア構成について説明する。
図３は、第２の実施の形態に係る投票システムを構成するＡＴＭの構成を説明するためのブロック図である。
【００３４】
ＡＴＭ２０は、銀行、コンビニエンスストア、駅構内等に設置されて、ユーザによる操作入力に応じて、送金・入金・振り込み・引き落とし等の取引を自動的に実行し、通帳及びキャッシュカードに当該取引内容を記録することができるものである。さらに、第２の実施の形態におけるＡＴＭ２０は、ユーザによる公営競技の投票を受け付けると共に、投票金額を支払うことができ、また、公営競技の結果に応じてユーザの口座に対する賞金の払い戻し処理を実行する。
【００３５】
このようなＡＴＭ２０は、ＣＰＵ（Central Processing Unit）２０ａによって装置全体が制御されている。まず、ＣＰＵ２０ａには、バス２０ｉを介して、ＲＡＭ（Random Access Memory）２０ｂと、ＨＤＤ（Hard Disk Drive）２０ｃと、通信インタフェース２０ｄと、グラフィック処理部２０ｅと、入力情報処理部２０ｆと、静脈情報処理部２０ｇと、入出力インタフェース２０ｈとが接続されている。
【００３６】
ＲＡＭ２０ｂには、ＣＰＵ２０ａに実行させるＯＳ（Operating System）やプログラムの少なくとも一部が一時的に格納される。また、ＲＡＭ２０ｂには、ＣＰＵ２０ａによる処理に必要な各種データが格納される。
【００３７】
ＨＤＤ２０ｃには、ＡＴＭ２０上のＯＳやアプリケーションのプログラムが格納される。また、ＨＤＤ２０ｃには、ＣＰＵ２０ａによる処理に必要な各種データが格納される。
通信インタフェース２０ｄは、銀行の店舗、コンビニエンスストア等の様々な場所に設置されたＡＴＭ２０の管理を行う金融ホストコンピュータ３０と通信可能に、例えばＬＡＮ（Local Area Network）で接続されており、金融ホストコンピュータ３０と送受信信号の通信を行うことができる。
【００３８】
グラフィック処理部２０ｅは、具体例としては、ビデオカード、グラフィックボードであって、ＣＰＵ２０ａからの命令に従って、表示させる画像データを表示装置２０ｊに送信する。
【００３９】
入力情報処理部２０ｆは、顧客による操作入力を受け付けた入力装置２０ｋ（タッチパネル）から当該操作入力の情報を受信して、ＣＰＵ２０ａに通知する。
なお、表示装置２０ｊに通知された画像情報に基づいて画像を表示するＬＣＤ（Liquid Crystal Display）を、さらに、入力装置２０ｋにユーザによる操作入力を受け付けるタッチパネルをそれぞれ採用して、このような表示装置２０ｊ及び入力装置２０ｋから構成される表示入力ユニットとすることも可能である。
【００４０】
静脈情報処理部２０ｇは、ＡＴＭ２０に外装されている静脈センサ２０ｌにより取得されたユーザの掌の静脈パターンから生体認証情報を生成する。なお、静脈センサ２０ｌは、ユーザによりかざされた掌の画像を取得して、取得した画像から静脈パターンを読み取るものである。
【００４１】
入出力インタフェース２０ｈには、対人センサ制御部２０ｍと、紙幣処理ユニット２０ｎと、硬貨処理ユニット２０ｏと、通帳処理ユニット２０ｐと、カード／レシート処理ユニット２０ｑとが接続されている。入出力インタフェース２０ｈはこれらの各部及び各ユニットに対して相互に信号の送受信を行う。
【００４２】
対人センサ制御部２０ｍは、ＡＴＭ２０に外装されている対人センサ２０ｓが接続されており、対人センサ２０ｓはＡＴＭ２０に対するユーザの接近を検知すると検知信号を対人センサ制御部２０ｍに送信する。なお、ＣＰＵ２０ａが対人センサ制御部２０ｍから検知信号が送信されると、例えば、ユーザが居ない間に表示装置２０ｊにスクリーンセーバを表示させたら、スクリーンセーバを終了させて通常待ち受け画像を表示装置２０ｊに表示させることができる。
【００４３】
対人センサ制御部２０ｍは、ＡＴＭ２０に外装された対人センサ２０ｓが接続され、ＡＴＭ２０に接近して所定の取引を実行するユーザを検知する。また、取引終了等によりＡＴＭ２０からユーザが離れると、ユーザ不在をＣＰＵ２０ａに通知する。なお、対人センサ制御部２０ｍは、ユーザが不在になった時間を計数することも可能であって、当該時間が所定時間になると、ユーザ不在をＣＰＵ２０ａに通知するようにすることも可能である。
【００４４】
紙幣処理ユニット２０ｎ及び硬貨処理ユニット２０ｏは、ＡＴＭ２０に外装されている紙幣挿入／放出口及び硬貨挿入／放出口から挿入された紙幣及び硬貨を受け入れて、紙幣及び硬貨をそれぞれ計数する。また、ユーザの所定の実行指示に応じて、紙幣挿入／放出口及び硬貨挿入／放出口から処理に応じた額の紙幣及び硬貨をそれぞれ放出することができる。
【００４５】
通帳処理ユニット２０ｐは、ユーザによりＡＴＭ２０に外装されている通帳挿入／排出口から挿入された通帳を所定位置まで搬送し、ユーザからの実行指示に応じた処理の処理結果を記録する。また、通帳処理ユニット２０ｐは、処理結果の記録が完了した通帳を搬送して、通帳挿入／排出口から排出して、ユーザに返却する。
【００４６】
カード／レシート処理ユニット２０ｑは、ＡＴＭ２０に外装されているカード挿入／排出口からユーザによって挿入されたキャッシュカードに実行指示に応じて所定の処理の処理結果を磁気的に記録し、または磁気的に記録されている情報を読み取る。また、カード／レシート処理ユニット２０ｑは、処理結果の記録が完了したキャッシュカードを、カード挿入／排出口から、また、ＡＴＭ２０に外装されているレシート排出口から処理結果が印字されたレシートをそれぞれ排出して、ユーザに返却する。
【００４７】
なお、図３に記載したハードウェア構成以外にも、例えば、銀行において行員がＡＴＭ２０の様々な設定を管理し、設定状況を把握するための係員操作表示ユニット等の上位装置（図示を省略）を入出力インタフェース２０ｈに接続することも可能である。
【００４８】
図４は、第２の実施の形態に係る投票システムを構成する金融ホストコンピュータの構成を説明するためのブロック図である。
金融ホストコンピュータ３０は、ＣＰＵ３０ａによって装置全体が制御されている。ＣＰＵ３０ａには、バス３０ｇを介してＲＡＭ３０ｂと、ＨＤＤ３０ｃと、グラフィック処理部３０ｄと、入力インタフェース３０ｅと、通信インタフェース３０ｆとが接続されている。
【００４９】
ＲＡＭ３０ｂには、ＣＰＵ３０ａに実行させるＯＳプログラム並びにアプリケーションプログラムの少なくとも一部が一時的に格納される。また、ＲＡＭ３０ｂには、ＣＰＵ３０ａによる処理に必要な各種データが格納される。
【００５０】
ＨＤＤ３０ｃには、ＯＳプログラムやアプリケーションプログラムが格納される。
グラフィック処理部３０ｄには、モニタ３０ｈが接続されている。グラフィック処理部３０ｄは、ＣＰＵ３０ａからの命令に従って、画像をモニタ３０ｈの画面に表示させる。
【００５１】
入力インタフェース３０ｅには、キーボード３０ｉとマウス３０ｊとが接続されている。入力インタフェース３０ｅは、キーボード３０ｉやマウス３０ｊから送られてくる信号を、バス３０ｇを介してＣＰＵ３０ａに送信する。
【００５２】
通信インタフェース３０ｆは、ＣＰＵ３０ａの命令に従って、ＡＴＭ２０と公営競技ホストコンピュータ４０とそれぞれ通信可能にネットワーク５０ｂ，５０ａで接続されており、ＡＴＭ２０と公営競技ホストコンピュータ４０と送受信信号の通信をそれぞれ行うことができる。
【００５３】
以上のようなハードウェア構成によって、金融ホストコンピュータ３０の処理機能を実現することができる。
また、公営競技ホストコンピュータ４０も、金融ホストコンピュータ３０と同様のハードウェア構成を有している。このため、公営競技ホストコンピュータ４０のハードウェア構成の詳細な説明を省略する。公営競技ホストコンピュータ４０は、金融ホストコンピュータ３０と公営競技端末６０とそれぞれ通信可能にネットワーク５０ａ，５０ｃで接続されており、金融ホストコンピュータ３０と公営競技端末６０とに対して送受信信号の通信をそれぞれ行うことができる。
【００５４】
次に、ＡＴＭ２０と、金融ホストコンピュータ３０と、公営競技ホストコンピュータ４０とが有する機能についてそれぞれ説明する。
図５は、第２の実施の形態に係る投票システムを構成するＡＴＭの機能を示すブロック図である。
【００５５】
ＡＴＭ２０は、ユーザの投票等の操作入力を受け付けて、当該操作入力に応じた処理を実行して、金融ホストコンピュータ３０と相互に通信を実行し、また、金融ホストコンピュータ３０を経由して公営競技ホストコンピュータ４０と相互に通信を実行するものである。
【００５６】
このようなＡＴＭ２０は、ＡＴＭ制御部２１と、ユーザ情報受付部２２と、入力検知部２３と、ユニット制御部２４と、通信部２５と、ユーザ情報判別部２６と、金銭取引要求部２７と、表示処理部２８とを有する。
【００５７】
ＡＴＭ制御部２１は、各部で受信した情報を他の各部に送信すると共に、各部の処理結果に応じて他の各部の処理を実行させる。
ユーザ情報受付部２２は、静脈センサ２０ｌが読み取ったユーザの掌の静脈情報、カード／レシート処理ユニット２０ｑが受け付けたキャッシュカードに記憶されているユーザの口座番号等の情報（以後、カード情報）を受け付ける。
【００５８】
入力検知部２３は、入力装置２０ｋに対するユーザの操作入力を検知する。
ユニット制御部２４は、ＡＴＭ制御部２１からの命令に応じて、紙幣処理ユニット２０ｎと、硬貨処理ユニット２０ｏと、通帳処理ユニット２０ｐと、カード／レシート処理ユニット２０ｑといった各ユニット等に所定の処理を実行させる。
【００５９】
通信部２５は、金融ホストコンピュータ３０と通信を行うことができ、金融ホストコンピュータ３０からの情報を受信し、金融ホストコンピュータ３０に情報を送信する。
ユーザ情報判別部２６は、金融ホストコンピュータ３０から送信された登録口座情報（後述）に含まれる年齢情報が２０歳以上（成人）であるか否かの判別を行う。
【００６０】
金銭取引要求部２７は、ユーザの操作入力に応じて、金融ホストコンピュータ３０または公営競技ホストコンピュータ４０に対してユーザの口座と公営競技の口座との間の金銭の取引要求を行う。
【００６１】
表示処理部２８は、ＡＴＭ制御部２１からの要求に応じて、投票画面等の画像を表示装置２０ｊに表示する。
なお、図１の通信手段２ａはＡＴＭ制御部２１及び通信部２５に、操作受付手段２ｂ並びに生体認証取得手段２ｃはＡＴＭ制御部２１及びユーザ情報受付部２２に、それぞれ対応する。
【００６２】
図６は、第２の実施の形態に係る投票システムを構成する金融ホストコンピュータの機能を示すブロック図である。
金融ホストコンピュータ３０は、ユーザのＡＴＭ２０に対する操作入力に応じて、ＡＴＭ２０間の金融取引を実行し、また、ＡＴＭ２０と公営競技ホストコンピュータ４０との間の情報のやり取りを実行する。
【００６３】
このような金融ホストコンピュータ３０は、登録口座情報記憶部３１と、公営競技口座保持部３２と、金融ホスト制御部３３と、ユーザ情報検出部３４と、ＡＴＭ通信部３５と、公営競技通信部３６と、金銭取引部３７とを有する。
【００６４】
登録口座情報記憶部３１は、銀行番号、支店番号、口座番号、入出金履歴、金融取引履歴、年齢等のユーザが口座を開く際に銀行に申し出た情報（以後、登録口座情報）がユーザごとに予め記憶されている。
【００６５】
公営競技口座保持部３２は、公営競技の口座である。ユーザによるＡＴＭ２０から投票されると、ユーザの口座から投票金額がこの公営競技口座保持部３２に支払われる。また、ユーザが投票した公営競技の結果に応じた払戻金が公営競技口座保持部３２からユーザの口座に払い戻される。
【００６６】
金融ホスト制御部３３は、各部で受信した情報を他の各部に送信すると共に、各部の処理結果に応じて他の各部の処理を実行させる。
ユーザ情報検出部３４は、金融ホスト制御部３３の要求に応じて、ＡＴＭ２０から通知されたキャッシュカードに記録されているカード情報に対応する口座番号が登録口座情報記憶部３１内から検出する。
【００６７】
ＡＴＭ通信部３５は、ＡＴＭ２０と通信を行うことができ、ＡＴＭ２０からの情報を受信し、ＡＴＭ２０に情報を送信する。
公営競技通信部３６は、公営競技ホストコンピュータ４０と通信を行うことができ、公営競技ホストコンピュータ４０からの情報を受信し、公営競技ホストコンピュータ４０に情報を送信する。
【００６８】
金銭取引部３７は、金融ホスト制御部３３からの金銭取引要求に応じて、登録口座情報記憶部３１に記憶されているユーザの口座と、公営競技口座保持部３２の公営競技口座との間の金銭移送を行う。
【００６９】
ここで、金融ホストコンピュータ３０は、後述するＡＴＭ２０と公営競技ホストコンピュータ４０との情報のやり取りを実行する場合について説明する。
まず、ＡＴＭ２０から公営競技ホストコンピュータ４０に情報を送信する場合には、ＡＴＭ２０から情報を送信されると、ＡＴＭ通信部３５が受信し、当該情報を金融ホスト制御部３３が公営競技通信部３６に送信し、公営競技通信部３６から公営競技ホストコンピュータ４０に送信される。
【００７０】
一方、公営競技ホストコンピュータ４０からＡＴＭ２０に情報を送信する場合には、上記と逆の通信が実行される。即ち、公営競技ホストコンピュータ４０から情報を送信されると、公営競技通信部３６が受信し、当該情報を金融ホスト制御部３３がＡＴＭ通信部３５に送信し、ＡＴＭ通信部３５からＡＴＭ２０に送信される。
【００７１】
図７は、第２の実施の形態に係る投票システムを構成する公営競技ホストコンピュータの機能を示すブロック図である。
公営競技ホストコンピュータ４０は、公営競技端末６０並びにＡＴＭ２０からユーザの投票をそれぞれ受け付けて、公営競技の競技内容及び公営競技の競技結果等を管理し、投票掛け率の算出を行うと共に、金融ホストコンピュータ３０と通信可能であって、ユーザの口座と金銭取引を実行する。
【００７２】
このような公営競技ホストコンピュータ４０は、登録情報データベース４１と、投票情報データベース４２と、公営競技ホスト制御部４３と、金融通信部４４と、登録情報判別部４５と、登録情報更新部４６と、投票情報管理部４７と、画像生成部４８と、金銭取引要求部４９とを有する。
【００７３】
登録情報データベース４１は、ユーザがＡＴＭ２０から公営競技に参加するために、ユーザが登録したユーザの情報（以後、登録情報）が記憶されている。
投票情報データベース４２は、ユーザがＡＴＭ２０で公営競技に投票し、当該投票に関する競技結果等の情報（以後、投票情報）が記録されている。
【００７４】
なお、登録情報データベース４１及び投票情報データベース４２の詳細については後述する。
公営競技ホスト制御部４３は、各部で受信した情報を他の各部に送信すると共に、各部の処理結果に応じて他の各部の処理を実行させる。
【００７５】
金融通信部４４は、金融ホストコンピュータ３０と通信を行うことができ、金融ホストコンピュータ３０からの情報を受信し、金融ホストコンピュータ３０に情報を送信する。
登録情報判別部４５は、ＡＴＭ２０から送信されたカード情報に対応する登録情報が登録情報データベース４１に含まれているか否かを判別する。
【００７６】
登録情報更新部４６は、公営競技ホスト制御部４３の登録または更新要求に応じて、ＡＴＭ２０から送信されたカード情報及び静脈情報を登録情報として登録情報データベース４１に登録または更新する。
【００７７】
投票情報管理部４７は、公営競技ホスト制御部４３の記録要求に応じて、ＡＴＭ２０に対する投票内容を投票情報データベース４２に記録する。また、投票情報管理部４７は、公営競技の競技結果に基づき、適宜投票情報データベース４２の情報を更新する。
【００７８】
画像生成部４８は、公営競技ホスト制御部４３の生成要求に応じて、公営競技に関して投票並びに払い戻し等の画像を生成する。
金銭取引要求部４９は、公営競技ホスト制御部４３の要求に応じて、金融通信部４４から金融ホストコンピュータ３０に払い戻し要求を通知させる。
【００７９】
なお、図１のユーザ情報記憶手段４ａは登録情報データベース４１及び投票情報データベース４２に、通信手段２ａは公営競技ホスト制御部４３及び金融通信部４４に、判別手段４ｃ並びに操作受付通知手段４ｄはＡＴＭ制御部２１、登録情報判別部４５及び投票情報管理部４７にそれぞれ対応する。
【００８０】
次にこのような機能を有するＡＴＭ２０と、金融ホストコンピュータ３０と、公営競技ホストコンピュータ４０とでそれぞれ実行される処理について説明する。
［実施例１］
実施例１では、ユーザが公営競技に参加するためのユーザ登録処理について説明する。
【００８１】
まず、投票システム１０において、ユーザ登録を行うための、ＡＴＭ２０と、金融ホストコンピュータ３０と、公営競技ホストコンピュータ４０との情報のやり取りについてシークエンス図を参照して説明する。なお、下記シークエンス図はユーザ登録が正しく行われる場合について示している。
【００８２】
図８は、第２の実施の形態に係る投票システムのユーザ登録を実行する場合のシークエンス図である。
［ステップＳ１１］  ＡＴＭ２０がユーザのカード情報を金融ホストコンピュータ３０に送信する。
【００８３】
［ステップＳ１２］  金融ホストコンピュータ３０は、登録口座情報記憶部３１中の送信されたカード情報に対応する登録口座情報をＡＴＭ２０に送信する。
［ステップＳ１３］  ＡＴＭ２０は、登録情報データベース４１におけるカード情報に対応する登録情報の登録確認要求通知を公営競技ホストコンピュータ４０に送信する。
【００８４】
［ステップＳ１４］  公営競技ホストコンピュータ４０は、カード情報に対応する登録情報の登録確認通知をＡＴＭ２０に送信する。
［ステップＳ１５］  ＡＴＭ２０は、ステップＳ１４の登録確認結果が未登録であれば、ユーザの静脈情報を公営競技ホストコンピュータ４０に送信する。
【００８５】
［ステップＳ１６］  公営競技ホストコンピュータ４０は、登録情報データベース４１に、カード情報と静脈情報とを登録情報として仮登録し、仮登録完了通知をＡＴＭ２０に送信する。
【００８６】
［ステップＳ１７］  ＡＴＭ２０は、仮登録完了を承認して、仮登録確認通知を公営競技ホストコンピュータ４０に送信する。
［ステップＳ１８］  公営競技ホストコンピュータ４０は、仮登録の内容で本登録し、登録完了通知をＡＴＭ２０に通知する。
【００８７】
このようにして、投票システム１０で情報のやり取りが行われて、公営競技ホストコンピュータ４０にユーザの登録情報が登録される。
次いで、投票システム１０のＡＴＭ２０と、金融ホストコンピュータ３０と、公営競技ホストコンピュータ４０とで行われる処理について説明する。
【００８８】
図９及び図１０は、第２の実施の形態に係る投票システムのＡＴＭのユーザ登録の処理手順を示すフローチャートである。
ユーザは表示装置２０ｊに表示されている、初期画面中の例えば「公営競技登録」をタッチすると、当該タッチを入力装置２０ｋが検知して、以下の登録処理が実行される。
【００８９】
［ステップＳ２１］  ユーザによりＡＴＭ２０のカード挿入／排出口からキャッシュカードが挿入され、入力装置２０ｋからユーザにより暗証番号が入力されると、ユーザ情報受付部２２がキャッシュカードに記憶されている銀行番号、支店番号、口座番号等のカード情報を取得する。
【００９０】
［ステップＳ２２］  通信部２５は、ＡＴＭ制御部２１の送信要求により、ステップＳ２１で取得したカード情報を金融ホストコンピュータ３０に送信する（図８：ステップＳ１１）。
【００９１】
［ステップＳ２３］  通信部２５は、金融ホストコンピュータ３０から送信されたカード情報に対応する登録口座情報を受信する（図８：ステップＳ１２）
［ステップＳ２４］  ユーザ情報判別部２６は、ＡＴＭ制御部２１の判別要求により、ステップＳ２３で受信した登録口座情報に含まれる年齢情報が成人に該当するか否かを判別する。次の処理は、成人であればステップＳ２５に進められ、成人でなければステップＳ２１ｇに進められる。
【００９２】
［ステップＳ２５］  通信部２５は、ＡＴＭ制御部２１の確認要求により、公営競技ホストコンピュータ４０にカード情報に対応する登録情報の登録確認要求通知を送信する（図８：ステップＳ１３）。
【００９３】
［ステップＳ２６］  通信部２５は、公営競技ホストコンピュータ４０からカード情報に対応する登録情報の登録確認通知を受信する（図８：ステップＳ１４）。
次の処理は、登録確認通知がカード情報に対応する登録情報が登録されていない場合にはステップＳ２７に進められ、登録されている場合にはステップＳ２１ｇに進められる。
【００９４】
［ステップＳ２７］  ユーザ情報受付部２２が、静脈センサ２０ｌにより取得されたユーザの掌の静脈パターンに関する静脈情報を取得する。
［ステップＳ２８］  通信部２５は、ＡＴＭ制御部２１の送信要求により、公営競技ホストコンピュータ４０にステップＳ２７で取得した静脈情報を送信する（図８：ステップＳ１５）。
【００９５】
［ステップＳ２９］  通信部２５は、公営競技ホストコンピュータ４０から仮登録に関する応答を受信する（図８：ステップＳ１６）。
次の処理は、当該応答が公営競技ホストコンピュータ４０での仮登録完了通知であればステップＳ２１ａに進められ、仮登録完了以外の通知であればステップＳ２１ｇに進められる。なお、仮登録完了通知の場合には、仮登録の「会員番号」も共に通知される。
【００９６】
［ステップＳ２１ａ］  表示処理部２８は、ＡＴＭ制御部２１の表示要求により、表示装置２０ｊに仮登録の内容を表示する。
なお、仮登録の内容と共に、当該内容の承認・否承認の選択ボタンも表示して、ユーザの判断を待ち受ける。
【００９７】
［ステップＳ２１ｂ］  入力検知部２３は、仮登録の内容に対するユーザの承認・否承認を検知する。
次の処理は、仮登録に対して承認が検知されればステップＳ２１ｃに進められ、否承認が検知されればステップＳ２１ｄに進められる。
【００９８】
［ステップＳ２１ｃ］  通信部２５は、ＡＴＭ制御部２１の送信要求により、公営競技ホストコンピュータ４０に仮登録確認通知を送信する（図８：ステップＳ１７）。
［ステップＳ２１ｄ］  通信部２５は、ＡＴＭ制御部２１の送信要求により、公営競技ホストコンピュータ４０に仮登録未確認通知を送信する。
【００９９】
［ステップＳ２１ｅ］  通信部２５は、公営競技ホストコンピュータ４０から登録に関する応答を受信する（図８：ステップＳ１８）。
次の処理は、当該応答が本登録完了通知であればステップＳ２１ｆに進められ、本登録完了以外の通知であればステップＳ２１ｇに進められる。
【０１００】
［ステップＳ２１ｆ］  ユニット制御部２４は、ＡＴＭ制御部２１の発行要求により、カード／レシート処理ユニット２０ｑから公営競技ホストコンピュータ４０に登録された登録情報が印字されたレシートを発行する。
【０１０１】
［ステップＳ２１ｇ］  表示処理部２８は、ＡＴＭ制御部２１の表示要求により、表示装置２０ｊに登録不可である旨を表示する。
［ステップＳ２１ｈ］  ユニット制御部２４は、ＡＴＭ制御部２１の返却要求により、カード／レシート処理ユニット２０ｑからキャッシュカードを返却する。
【０１０２】
図１１は、第２の実施の形態に係る投票システムの金融ホストコンピュータのユーザ登録の処理手順を示すフローチャートである。
［ステップＳ３１］  ＡＴＭ通信部３５が、ＡＴＭ２０からカード情報を受信する（図８：ステップＳ１１）。
【０１０３】
［ステップＳ３２］  ユーザ情報検出部３４が、金融ホスト制御部３３の検出要求により、登録口座情報記憶部３１からステップＳ３１で受信したカード情報に対応する登録口座情報を検出する。
【０１０４】
［ステップＳ３３］  ＡＴＭ通信部３５が、金融ホスト制御部３３の送信要求により、ステップＳ３２で検出した登録口座情報をＡＴＭ２０に送信する（図８：ステップＳ１２）。
【０１０５】
図１２及び図１３は、第２の実施の形態に係る投票システムの公営競技ホストコンピュータのユーザ登録の処理手順を示すフローチャートである。
［ステップＳ４１］  金融通信部４４が、ＡＴＭ２０からカード情報に対応する登録情報の登録確認要求通知を受信する（図８：ステップＳ１３）。
【０１０６】
［ステップＳ４２］  登録情報判別部４５が、公営競技ホスト制御部４３の確認要求により、登録情報データベース４１からカード情報に対応する登録情報の登録確認を行う。
［ステップＳ４３］  登録情報判別部４５は登録確認をして、カード情報に対応する登録情報の有無を判別する。
【０１０７】
次の処理は、ステップＳ４２の登録確認の結果がカード情報に対応する登録情報が有ればステップＳ４４に進められ、無ければステップＳ４５に進められる。
［ステップＳ４４］  金融通信部４４は、公営競技ホスト制御部４３の送信要求により、登録情報存在通知をＡＴＭ２０に送信する（図８：ステップＳ１４）。
【０１０８】
［ステップＳ４５］  金融通信部４４は、公営競技ホスト制御部４３の送信要求により、登録情報不在通知をＡＴＭ２０に送信する（図８：ステップＳ１４）。
［ステップＳ４６］  金融通信部４４は、ＡＴＭ２０からユーザの静脈情報を受信する（図８：ステップＳ１５）。
【０１０９】
［ステップＳ４７］  登録情報更新部４６は、公営競技ホスト制御部４３の登録要求により、ユーザのカード情報（ステップＳ４１）と共に静脈情報（ステップＳ４６）とを登録情報として登録情報データベース４１に仮登録する。
【０１１０】
［ステップＳ４８］  金融通信部４４は、公営競技ホスト制御部４３の送信要求により、仮登録完了通知をＡＴＭ２０に送信する（図８：ステップＳ１６）。
［ステップＳ４９］  金融通信部４４は、ＡＴＭ２０から仮登録に関する応答を受信する（図８：ステップＳ１７）。
【０１１１】
次の処理は、当該応答が仮登録の確認通知である場合にはステップＳ４１ａに進められ、仮登録の否確認通知である場合にはステップＳ４１ｃに進められる。
［ステップＳ４１ａ］  登録情報更新部４６は、公営競技ホスト制御部４３の登録要求により、仮登録の内容で登録情報データベース４１に本登録を行う。
【０１１２】
［ステップＳ４１ｂ］  金融通信部４４は、公営競技ホスト制御部４３の送信要求により、本登録完了通知をＡＴＭ２０に送信する（図８：ステップＳ１８）。
［ステップＳ４１ｃ］  金融通信部４４は、公営競技ホスト制御部４３の送信要求により、登録終了する旨の表示要求をＡＴＭ２０に送信する。なお、登録終了する旨の表示要求は金融ホストコンピュータ３０のＡＴＭ通信部３５から通信部２５を経由しＡＴＭ２０の表示処理部２８に送信される。
【０１１３】
このようにして、公営競技ホストコンピュータ４０に登録された登録情報の一例について説明する。
図１４は、第２の実施の形態に係る投票システムを構成する公営競技ホストコンピュータが保持する登録情報テーブル及び投票情報テーブルの一例を示す図である。
【０１１４】
なお、図１４（Ａ）は、登録情報データベース４１に記憶される登録情報テーブルの一例であり、図１４（Ｂ）は、投票情報データベース４２に記録される投票情報テーブルの一例である。
【０１１５】
登録情報データベース４１に記憶される登録情報テーブルは、図１４（Ａ）に示されるように、「会員番号」、「銀行番号」、「支店番号」、「口座番号」、「静脈情報」、「成人属性」がそれぞれ会員番号ごとに登録される。
【０１１６】
なお、ユーザ登録の際に、ユーザは、図９のステップＳ２４で成人または未成年について峻別されており、登録情報データベース４１に登録されているものは全て「成人属性」が有りとなる。
【０１１７】
このようにして、公営競技ホストコンピュータ４０に、ユーザのカード情報と共に、年齢に対応して静脈情報とが登録情報として登録される。
［実施例２］
実施例２では、実施例１に続いてユーザが公営競技に投票するための投票処理について説明する。なお、以下では、既に説明した処理に対応するステップについては同じステップ番号を用いており、当該処理の説明を省略する。
【０１１８】
まず、投票システム１０において、投票を行うための、ＡＴＭ２０と、金融ホストコンピュータ３０と、公営競技ホストコンピュータ４０との情報のやり取りについてシークエンス図を参照して説明する。なお、下記シークエンス図は投票が正しく行われる場合について示している。
【０１１９】
図１５は、第２の実施の形態に係る投票システムの投票を実行する場合のシークエンス図である。
［ステップＳ５１］  ＡＴＭ２０が金融ホストコンピュータ３０にカード情報に対応する登録口座情報を確認した後、ＡＴＭ２０は、カード情報と静脈情報とを公営競技ホストコンピュータ４０に送信する。
【０１２０】
［ステップＳ５２］  公営競技ホストコンピュータ４０は、カード情報と静脈情報とに対応する登録情報の存在通知をＡＴＭ２０に送信する。
［ステップＳ５３］  ＡＴＭ２０は、投票画面要求通知を公営競技ホストコンピュータ４０に送信する。
【０１２１】
［ステップＳ５４］  公営競技ホストコンピュータ４０は、投票画面情報をＡＴＭ２０に送信する。
［ステップＳ５５］  ＡＴＭ２０は、投票画面に対してユーザが投票した投票内容情報を公営競技ホストコンピュータ４０に送信する。
【０１２２】
［ステップＳ５６］  公営競技ホストコンピュータ４０は、ステップＳ５５で受信した投票内容及び投票金額の引き落としの仮登録通知をＡＴＭ２０に送信する。
［ステップＳ５７］  ＡＴＭ２０は、投票金額情報を金融ホストコンピュータ３０に送信する。
【０１２３】
［ステップＳ５８］  金融ホストコンピュータ３０は、ユーザの口座から投票金額を引き落とすことが可能であることの通知をＡＴＭ２０に送信する。
［ステップＳ５９］  ＡＴＭ２０は、投票金額の引き落とし登録要求通知を公営競技ホストコンピュータ４０に送信する。
【０１２４】
［ステップＳ５１ａ］  公営競技ホストコンピュータ４０は、ステップＳ５６で仮登録した内容で本登録し、仮引き落としした内容で引き落としを行って、投票登録し、引き落とし完了通知をＡＴＭ２０に送信する。
【０１２５】
［ステップＳ５１ｂ］  ＡＴＭ２０は、投票金額の引き落とし要求通知を金融ホストコンピュータ３０に送信する。
［ステップＳ５１ｃ］  金融ホストコンピュータ３０は、ユーザの口座から投票金額を引き落とし完了した通知をＡＴＭ２０に送信する。
【０１２６】
次いで、投票システム１０のＡＴＭ２０と、金融ホストコンピュータ３０と、公営競技ホストコンピュータ４０とで行われる処理について説明する。
図１６及び図１７は、第２の実施の形態に係る投票システムのＡＴＭの投票の処理手順を示すフローチャートである。
【０１２７】
ユーザは表示装置２０ｊに表示されている、初期画面中の例えば「公営競技投票」をタッチすると、当該タッチを入力装置２０ｋが検知し、ステップＳ２１〜Ｓ２３の処理に続いて以下の投票処理が実行される。
【０１２８】
［ステップＳ６１］  通信部２５が、金融ホストコンピュータ３０から登録口座情報の存在に関する応答を受信する（図１５：ステップＳ１２）。
次の処理は、当該応答が公営競技ホストコンピュータ４０に登録口座情報が有る場合にはステップＳ２７に進められ、無い場合にはステップＳ２１ｇに進められる。
【０１２９】
［ステップＳ６２］  ユーザ情報受付部２２がユーザの静脈情報を取得すると、通信部２５は、ＡＴＭ制御部２１の送信要求により、カード情報と静脈情報とを公営競技ホストコンピュータ４０に送信する（図１５：ステップＳ５１）。
【０１３０】
［ステップＳ６３］  通信部２５が、公営競技ホストコンピュータ４０からカード情報と静脈情報とに対応する登録情報の存在に関する応答を受信する（図１５：ステップＳ５２）。
【０１３１】
次の処理は、当該応答がカード情報と静脈情報とに対応する登録情報が有る場合にはステップＳ６４に進められ、無い場合にはステップＳ２１ｇに進められる。
［ステップＳ６４］  通信部２５は、ＡＴＭ制御部２１の送信要求により、投票画面要求通知を公営競技ホストコンピュータ４０に送信する（図１５：ステップＳ５３）。
【０１３２】
［ステップＳ６５］  表示処理部２８は、公営競技ホストコンピュータ４０が送信した投票画面情報を金融ホストコンピュータ３０のＡＴＭ通信部３５から受信して、表示装置２０ｊに当該投票画面を表示する（図１５：ステップＳ５４）。
【０１３３】
［ステップＳ６６］  入力検知部２３は、ユーザの表示装置２０ｊに表示されている投票画面に対するタッチから公営競技に対する投票内容を受け付ける（図１５：ステップＳ５４）。
【０１３４】
［ステップＳ６７］  通信部２５は、ＡＴＭ制御部２１の送信要求により、投票内容情報を公営競技ホストコンピュータ４０に送信する（図１５：ステップ５５）。
［ステップＳ６８］  次の処理は、通信部２５が、公営競技ホストコンピュータ４０から投票内容及び投票金額の引き落としの仮登録通知を受信すると、ステップＳ６９に進められ、それ以外の通知を受信するとステップＳ２１ｇに進められる（図１５：ステップＳ５６）。
【０１３５】
［ステップＳ６９］  通信部２５は、ＡＴＭ制御部２１の送信要求により、投票金額情報を金融ホストコンピュータ３０に送信する（図１５：ステップ５７）。
［ステップＳ６１ａ］  次の処理は、通信部２５が、金融ホストコンピュータ３０からユーザの口座から投票金額の引き落とし可能である旨を受信する場合にはステップＳ６１ｂに進められ、それ以外の通知を受信するとステップＳ２１ｇに進められる（図１５：ステップＳ５８）。
【０１３６】
［ステップＳ６１ｂ］  通信部２５は、ＡＴＭ制御部２１の送信要求により、投票内容・投票金額引き落とし登録要求通知を公営競技ホストコンピュータ４０に送信する（図１５：ステップＳ５９）。
【０１３７】
［ステップＳ６１ｃ］  通信部２５は、投票内容・投票金額引き落としの登録完了通知を公営競技ホストコンピュータ４０から受信する（図１５：ステップＳ５８）。
［ステップＳ６１ｄ］  通信部２５は、ＡＴＭ制御部２１の送信要求により、ユーザの口座から投票金額の引き落とし要求を金融ホストコンピュータ３０に送信する（図１５：ステップＳ５１ｂ）。
【０１３８】
［ステップＳ６１ｅ］  次の処理は、通信部２５が、金融ホストコンピュータ３０からユーザの口座から投票金額の引き落とし完了通知を受信した場合にはステップＳ２１ｆに進められ、それ以外の通知を受信するとステップＳ２１ｇに進められる（図１５：ステップＳ５１ｃ）。
【０１３９】
図１８は、第２の実施の形態に係る投票システムの金融ホストコンピュータの投票の処理手順を示すフローチャートである。
［ステップＳ７１］  ＡＴＭ通信部３５が、投票金額情報をＡＴＭ２０から受信する（図１５：ステップＳ５７）。
【０１４０】
［ステップＳ７２］  金銭取引部３７が、金融ホスト制御部３３の要求により、登録口座情報記憶部３１のユーザの口座からステップＳ７１で受信した投票金額情報を引き落とし可能か否か判別する。
【０１４１】
次の処理は、引き落とし可能であればステップＳ７３に進められ、引き落とし不可能であればステップＳ７７に進められる。
［ステップＳ７３］  ＡＴＭ通信部３５は、金融ホスト制御部３３の送信要求により引き落とし可能である旨の通知をＡＴＭ２０に送信する（図１５：ステップＳ５８）。
【０１４２】
［ステップＳ７４］  ＡＴＭ通信部３５は、投票金額の引き落とし要求をＡＴＭ２０から受信する（図１５：ステップＳ５１ｂ）。
［ステップＳ７５］  金銭取引部３７は、金融ホスト制御部３３の引き落とし要求により、登録口座情報記憶部３１のユーザの口座から投票金額を引き落として、当該投票金額を公営競技口座保持部３２の公営競技口座に振り込む。
【０１４３】
［ステップＳ７６］  ＡＴＭ通信部３５は、金融ホスト制御部３３の送信要求により引き落としの完了通知をＡＴＭ２０に送信する（図１５：ステップＳ５１ｃ）。
［ステップＳ７７］  ＡＴＭ通信部３５は、金融ホスト制御部３３の送信要求により引き落としの不可能通知をＡＴＭ２０に送信する。
【０１４４】
図１９及び図２０は、第２の実施の形態に係る投票システムの公営競技ホストコンピュータの投票の処理手順を示すフローチャートである。
［ステップＳ８１］  金融通信部４４は、カード情報と静脈情報とをＡＴＭ２０から受信する（図１５：ステップＳ５１）。
【０１４５】
［ステップＳ８２］  登録情報判別部４５は、公営競技ホスト制御部４３の判別要求により、ステップＳ８１で受信したカード情報と静脈情報とに対応する登録情報を登録情報データベース４１の中から検索させる。
【０１４６】
［ステップＳ８３］  次の処理は、登録情報判別部４５が、登録情報データベース４１にカード情報と静脈情報とに対応する登録情報が有ると判別した場合にはステップＳ８４に進められ、無いと判別した場合にはステップＳ８５に進められる。
【０１４７】
［ステップＳ８４］  金融通信部４４は、公営競技ホスト制御部４３の送信要求により、登録情報存在通知をＡＴＭ２０に送信する（図１５：ステップＳ５２）。
［ステップＳ８５］  金融通信部４４は、公営競技ホスト制御部４３の送信要求により、登録情報不在通知をＡＴＭ２０に送信する（図１５：ステップＳ５２）。
【０１４８】
［ステップＳ８６］  金融通信部４４は、投票画面要求通知をＡＴＭ２０から受信する（図１５：ステップＳ５３）。
［ステップＳ８７］  金融通信部４４は、公営競技ホスト制御部４３の送信要求により、投票画面情報をＡＴＭ２０に送信する（図１５：ステップＳ５４）。
【０１４９】
［ステップＳ８８］  金融通信部４４は、投票内容及び投票金額をＡＴＭ２０から受信する（図１５：ステップＳ５５）。
［ステップＳ８９］  投票情報管理部４７は、公営競技ホスト制御部４３の登録要求により、投票情報データベース４２に、ステップＳ８８で受信した投票内容及び投票金額を仮登録する。
【０１５０】
［ステップＳ８１ａ］  金融通信部４４は、公営競技ホスト制御部４３の送信要求により、投票内容及び投票金額の引き落としの仮登録完了通知をＡＴＭ２０に送信する（図１５：ステップＳ５６）。
【０１５１】
［ステップＳ８１ｂ］  金融通信部４４は、投票内容及び投票金額の引き落としの登録要求通知をＡＴＭ２０から受信する（図１５：ステップＳ５９）。
［ステップＳ８１ｃ］  投票情報管理部４７は、公営競技ホスト制御部４３の登録依頼により、投票情報データベース４２にステップＳ８９の仮登録の内容で本登録をする。
【０１５２】
［ステップＳ８１ｄ］  金融通信部４４は、公営競技ホスト制御部４３の送信要求により、投票内容及び投票金額の引き落としの登録完了通知をＡＴＭ２０に送信する（図１５：ステップＳ５１ｃ）。
【０１５３】
このようにして、公営競技ホストコンピュータ４０に投票された投票内容の一例について図１４を参照して説明する。
投票情報データベース４２に記録される投票情報テーブルは、図１４（Ｂ）に示されるように、例えば、「会員番号」“Ｔ１００００１”に対して、「日付」、「レース」、「賭式」、「投票内容」、「投票金額」、「投票結果」、「払戻金額」、「払戻結果」がそれぞれ記録される。
【０１５４】
例えば、Ｎｏ．１では、“６／１２”の“２Ｒ（第２レース）”に、“連複（連勝複式）”で“７−２”に、“２０００円”投票して、外れてしまっていることが分かる。
また、Ｎｏ．４では、“６／１９”の“１Ｒ（第１レース）”に、“連複（連勝複式）”で“３−４”に、“２０００円”投票して当たり、払い戻し金額は“８０００円”であって、払い戻し結果が“未”であるために、まだ払い戻しがされていないことが分かる。
【０１５５】
［実施例３］
実施例３では、実施例２に続いてユーザが当たり投票に対して払い戻される払戻処理について説明する。なお、以下でも、既に説明した処理に対応するステップについては同じステップ番号を用いており、当該処理の説明を省略する。
【０１５６】
まず、投票システム１０において、払い戻しを行うための、ＡＴＭ２０と、金融ホストコンピュータ３０と、公営競技ホストコンピュータ４０との情報のやり取りについてシークエンス図を参照して説明する。なお、下記シークエンス図は投票が正しく行われる場合について示している。
【０１５７】
図２１は、第２の実施の形態に係る投票システムのユーザへの払い戻しを実行する場合のシークエンス図である。
［ステップＳ９１］  ＡＴＭ２０は、払い戻し対象となる投票の確認要求通知を公営競技ホストコンピュータ４０に送信する。
【０１５８】
［ステップＳ９２］  公営競技ホストコンピュータ４０は、払い戻し対象となる投票が有る場合には、払い戻し画面情報をＡＴＭ２０に送信する。
［ステップＳ９３］  ＡＴＭ２０は、当該払い戻し画面に対するユーザの操作入力に応じて、払い戻しの要求通知を公営競技ホストコンピュータ４０に送信する。
【０１５９】
［ステップＳ９４］  公営競技ホストコンピュータ４０は、払い戻し要求通知を受信すると、投票情報データベース４２に払い戻し金額の仮登録を実行し、当該払い戻し金額の仮登録と、払い戻し金額情報とをＡＴＭ２０に送信する。
【０１６０】
［ステップＳ９５］  ＡＴＭ２０は、払い戻し金額情報と共に払い戻し実行要求通知を金融ホストコンピュータ３０に送信する。
［ステップＳ９６］  金融ホストコンピュータ３０は、公営競技口座保持部３２の公営競技口座から払い戻し金額を引き落とし、登録口座情報記憶部３１のユーザの口座に払い戻し金額を振り込み、払い戻し完了通知をＡＴＭ２０に送信する。
【０１６１】
［ステップＳ９７］  ＡＴＭ２０は、払い戻し完了登録通知を公営競技ホストコンピュータ４０に送信する。
［ステップＳ９８］  公営競技ホストコンピュータ４０は、ステップＳ９４での仮登録の内容で投票情報データベース４２に本登録を行って、払い戻し完了本登録通知をＡＴＭ２０に送信する。
【０１６２】
このようにして、投票システム１０で情報のやり取りが行われて、公営競技ホストコンピュータ４０からユーザの口座に払戻金が払い戻される。
次いで、投票システム１０のＡＴＭ２０と、金融ホストコンピュータ３０と、公営競技ホストコンピュータ４０とで行われる処理について説明する。
【０１６３】
図２２及び図２３は、第２の実施の形態に係る投票システムのＡＴＭのユーザへの払い戻しの処理手順を示すフローチャートである。
ユーザは表示装置２０ｊに表示されている、初期画面中の例えば「公営競技払い戻し」をタッチすると、当該タッチを入力装置２０ｋが検知し、ステップＳ２１〜Ｓ２３，Ｓ６１，Ｓ２７，Ｓ６２，Ｓ６３の処理に続いて以下の払い戻し処理が実行される。
【０１６４】
［ステップＳ１０１］  通信部２５は、ＡＴＭ制御部２１の送信要求により、払い戻し対象の投票の確認要求通知を公営競技ホストコンピュータ４０に送信する（図２１：ステップＳ９１）。
【０１６５】
［ステップＳ１０２］  通信部２５は、公営競技ホストコンピュータ４０から払い戻しの投票に関する応答を受信する（図２１：ステップＳ９２）。
次の処理は、当該応答が払い戻し対象の投票が存在する場合にはステップＳ１０３に進められ、存在しない場合にはステップＳ２１ｇに進められる。
【０１６６】
［ステップＳ１０３］  表示処理部２８は、公営競技ホストコンピュータ４０が送信した払い戻しを受け付けるための払い戻し画面情報を金融ホストコンピュータ３０のＡＴＭ通信部３５から受信して、表示装置２０ｊに当該払い戻し画面を表示する。
【０１６７】
［ステップＳ１０４］  入力検知部２３は、ユーザの表示装置２０ｊに表示されている払い戻し画面に対するタッチから払い戻し実行要求を受け付ける。通信部２５は、ＡＴＭ制御部２１の送信要求により、払い戻し実行要求を公営競技ホストコンピュータ４０に送信する（図２１：ステップＳ９３）。
【０１６８】
［ステップＳ１０５］  通信部２５は、公営競技ホストコンピュータ４０から払い戻し完了の仮登録及び払い戻しの金額情報を受信する（図２１：ステップＳ９４）。
［ステップＳ１０６］  通信部２５は、ＡＴＭ制御部２１の送信要求により、払い戻しの金額情報とカード情報と共に払い戻しの実行要求通知を金融ホストコンピュータ３０に送信する（図２１：ステップＳ９５）。
【０１６９】
［ステップＳ１０７］  通信部２５は、金融ホストコンピュータ３０から払い戻しに関する応答を受信する（図２１：ステップＳ９６）。
次の処理は、当該応答が払い戻し完了通知である場合にはステップＳ１０８に進められ、当該完了通知以外である場合にはステップＳ２１ｇに進められる。
【０１７０】
［ステップＳ１０８］  通信部２５は、ＡＴＭ制御部２１の送信要求により、払い戻し完了通知を公営競技ホストコンピュータ４０に送信する（図２１：ステップＳ９７）。
［ステップＳ１０９］  通信部２５は、払い戻し完了の本登録通知を公営競技ホストコンピュータ４０から受信する（図２１：ステップＳ９８）。
【０１７１】
図２４は、第２の実施の形態に係る投票システムの金融ホストコンピュータのユーザへの払い戻しの処理手順を示すフローチャートである。
［ステップＳ１１１］  ＡＴＭ通信部３５が、払い戻しの金額情報とユーザのカード情報と共に払い戻しの実行要求通知をＡＴＭ２０から受信する（図２１：ステップＳ９５）。
【０１７２】
［ステップＳ１１２］  金銭取引部３７は、金融ホスト制御部３３の払い戻し要求により、公営競技口座保持部３２の公営競技口座から払い戻し金額を引き落として、登録口座情報記憶部３１のユーザの口座に当該払い戻し金額を振り込む。
【０１７３】
［ステップＳ１１３］  ＡＴＭ通信部３５は、金融ホスト制御部３３の送信要求により払い戻しの完了通知をＡＴＭ２０に送信する（図２１：ステップＳ９６）。
図２５及び図２６は、第２の実施の形態に係る投票システムの公営競技ホストコンピュータのユーザへの払い戻しの処理手順を示すフローチャートである。
【０１７４】
［ステップＳ１２１］  金融通信部４４は、払い戻し対象の投票確認要求をＡＴＭ２０から受信する（図２１：ステップＳ９１）。
［ステップＳ１２２］  投票情報管理部４７は、公営競技ホスト制御部４３の判別要求により、投票情報データベース４２のユーザの投票内容で払い戻し対象となるものの有無を判別する。
【０１７５】
次の処理は、払い戻し対象の投票があればステップＳ１２３に進められ、なければ払い戻し処理が終了する。
［ステップＳ１２３］  金融通信部４４は、公営競技ホスト制御部４３の送信要求により、払い戻し画面情報をＡＴＭ２０に送信する（図２１：ステップＳ９２）。
【０１７６】
［ステップＳ１２４］  金融通信部４４は、払い戻し要求をＡＴＭ２０からを受信する（図２１：ステップＳ９３）。
［ステップＳ１２５］  投票情報管理部４７は、公営競技ホスト制御部４３の登録要求により、投票情報データベース４２のユーザの投票内容に払い戻し完了の仮登録を行う。金融通信部４４は、公営競技ホスト制御部４３の送信要求により、払い戻し完了仮登録通知と共に払い戻し金額情報をＡＴＭ２０に送信する（図２１：ステップＳ９４）。
【０１７７】
［ステップＳ１２６］  金融通信部４４は、払い戻し登録要求をＡＴＭ２０から受信する（図２１：ステップＳ９７）。
［ステップＳ１２７］  投票情報管理部４７は、公営競技ホスト制御部４３の登録要求により、ステップＳ１２５の仮登録の内容で投票情報データベース４２のユーザの投票内容に払い戻し完了の本登録を行う。金融通信部４４は、公営競技ホスト制御部４３の送信要求により、払い戻し完了本登録通知をＡＴＭ２０に送信する（図２１：ステップＳ９８）。
【０１７８】
このような投票システム１０では、まず、公営競技の参加登録の際に、ＡＴＭ２０からユーザの静脈情報と合わせてカード情報を登録するようにした。
そして、公営競技の投票の際には、ＡＴＭ２０がキャッシュカード及び暗証番号を読み込むと共に静脈センサ２０ｌでユーザの静脈情報を取得して、公営競技ホストコンピュータ４０が登録情報データベース４１を参照して、ＡＴＭ２０から送信された静脈情報に対応する年齢の判別を行うようにした。
【０１７９】
さらに、公営競技の払い戻しの際にも、ユーザの静脈情報を利用して、公営競技ホストコンピュータ４０が登録情報データベース４１を参照して、ＡＴＭ２０から送信された静脈情報に対応する年齢の判別を行うようにした。
【０１８０】
このように、ユーザはＡＴＭ２０を用いて公営競技に投票及び払い戻しできるために、ＡＴＭ２０の利便性が向上し、公営競技への利用拡大が図れると共に、未成年者のなりすましによる公営競技への参加を防止することができる。
【０１８１】
なお、上記の処理機能は、コンピュータによって実現することができる。その場合、自動取引装置２、ＡＴＭ２０、金融ホストコンピュータ３，３０及び公営競技ホストコンピュータ４，４０が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ハードディスク装置（ＨＤＤ）、フレキシブルディスク（ＦＤ）、磁気テープ等がある。光ディスクには、ＤＶＤ、ＤＶＤ−ＲＡＭ、ＣＤ−ＲＯＭ／ＲＷ等がある。光磁気記録媒体には、ＭＯ（Magneto-Optical disk）等がある。
【０１８２】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１８３】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【０１８４】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【符号の説明】
【０１８５】
１，１０  投票システム
２  自動取引装置
２ａ，４ｂ  通信手段
２ｂ  操作受付手段
２ｃ  生体認証取得手段
３，３０  金融ホストコンピュータ
４，４０  公営競技ホストコンピュータ
４ａ  ユーザ情報記憶手段
４ｃ  判別手段
４ｄ  操作受付通知手段
５ａ，５ｂ，５０ａ，５０ｂ，５０ｃ  ネットワーク
２０  ＡＴＭ
２０ａ，３０ａ  ＣＰＵ
２０ｂ，３０ｂ  ＲＡＭ
２０ｃ，３０ｃ  ＨＤＤ
２０ｄ，３０ｆ  通信インタフェース
２０ｅ，３０ｄ  グラフィック処理部
２０ｆ  入力情報処理部
２０ｇ  静脈情報処理部
２０ｈ  入出力インタフェース
２０ｉ，３０ｇ  バス
２０ｊ  表示装置
２０ｋ  入力装置
２０ｌ  静脈センサ
２０ｍ  対人センサ制御部
２０ｎ  紙幣処理ユニット
２０ｏ  硬貨処理ユニット
２０ｐ  通帳処理ユニット
２０ｑ  カード／レシート処理ユニット
２０ｓ  対人センサ
２１  ＡＴＭ制御部
２２  ユーザ情報受付部
２３  入力検知部
２４  ユニット制御部
２５  通信部
２６  ユーザ情報判別部
２７，４９  金銭取引要求部
２８  表示処理部
３０ｅ  入力インタフェース
３０ｈ  モニタ
３０ｉ  キーボード
３０ｊ  マウス
３１  登録口座情報記憶部
３２  公営競技口座保持部
３３  金融ホスト制御部
３４  ユーザ情報検出部
３５  ＡＴＭ通信部
３６  公営競技通信部
３７  金銭取引部
４１  登録情報データベース
４２  投票情報データベース
４３  公営競技ホスト制御部
４４  金融通信部
４５  登録情報判別部
４６  登録情報更新部
４７  投票情報管理部
４８  画像生成部
６０  公営競技端末
【図１】
2012073868.tif 000003
【図２】
2012073868.tif 000004
【図３】
2012073868.tif 000005
【図４】
2012073868.tif 000006
【図５】
2012073868.tif 000007
【図６】
2012073868.tif 000008
【図７】
2012073868.tif 000009
【図８】
2012073868.tif 000010
【図９】
2012073868.tif 000011
【図１０】
2012073868.tif 000012
【図１１】
2012073868.tif 000013
【図１２】
2012073868.tif 000014
【図１３】
2012073868.tif 000015
【図１４】
2012073868.tif 000016
【図１５】
2012073868.tif 000017
【図１６】
2012073868.tif 000018
【図１７】
2012073868.tif 000019
【図１８】
2012073868.tif 000020
【図１９】
2012073868.tif 000021
【図２０】
2012073868.tif 000022
【図２１】
2012073868.tif 000023
【図２２】
2012073868.tif 000024
【図２３】
2012073868.tif 000025
【図２４】
2012073868.tif 000026
【図２５】
2012073868.tif 000027
【図２６】
2012073868.tif 000028